【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
複数の樹脂層からなる化粧シートであって、
前記樹脂層のうち少なくとも１層を、超臨界逆相蒸発法によってベシクルに二酸化炭素吸収剤を内包させた二酸化炭素吸収剤内包ベシクルをポリオレフィン系樹脂に対して添加して熱可塑性樹脂組成物からなる層として形成することを特徴とする化粧シート。
【請求項２】
前記熱可塑性樹脂組成物からなる層は、結晶核剤を前記二酸化炭素吸収剤と一緒に前記ベシクルに内包させて形成されていることを特徴とする請求項１に記載の化粧シート。
【請求項３】
前記二酸化炭素吸収剤が、アルミノケイ酸塩、金属水酸化物、金属酸化物、チタン酸化合物またはリチウム化合物のうち少なくとも１つであることを特徴とする請求項１または請求項２に記載の化粧シート。
【請求項４】
前記ベシクルが、リン脂質からなる外膜を具備したリポソームとされていることを特徴とする請求項１乃至３のいずれか１項に記載の化粧シート。
【請求項５】
前記熱可塑性樹脂組成物からなる層に対して、一軸延伸加工または二軸延伸加工が施されていることを特徴とする請求項１乃至請求項４のいずれか１項に記載の化粧シート。
【請求項６】
前記化粧シートが、不燃性基材と貼り合わせた状態でＩＳＯ５６６０−１に準拠したコーンカロリーメータ試験機による発熱性試験において、建築基準法施工令第１０８条の２第１号および第２号に記載の要件を満たす不燃材料であることを特徴とする請求項1乃至請求項５のいずれか１項に記載の化粧シート。
【請求項７】
引張弾性率が、５００ＭＰａ以上２０００ＭＰａ以下であり、引張破断伸度が、２００％以上であることを特徴とする請求項１乃至請求項６のいずれか１項に記載の化粧シート。
【請求項８】
複数の樹脂層からなる化粧シートの製造方法であって、
前記樹脂層のうち少なくとも１層を熱可塑性樹脂組成物からなる層として形成し、前記熱可塑性樹脂組成物からなる層を、超臨界逆相蒸発法によってベシクルに二酸化炭素吸収剤を内包させた二酸化炭素吸収剤内包ベシクルをポリオレフィン系樹脂に対して添加して形成することを特徴とする化粧シートの製造方法。
【手続補正２】
【補正対象書類名】明細書
【補正対象項目名】発明の名称
【補正方法】変更
【補正の内容】
【発明の名称】化粧シートおよび化粧シートの製造方法
【手続補正３】
【補正対象書類名】明細書
【補正対象項目名】０００１
【補正方法】変更
【補正の内容】
【０００１】
本発明は、建築内装材、玄関ドアなどの建築外装部材、建具の表面、家電品の表面材などに用いられる化粧シートに関するもので、焼却処理時に発生するＣＯ２排出量を削減するとともに、建築基準法施工令に記載の不燃材料の技術的基準を満たす化粧シートおよび化粧シートの製造方法に関する。
【手続補正４】
【補正対象書類名】明細書
【補正対象項目名】０００７
【補正方法】変更
【補正の内容】
【０００７】
本発明においては、焼却処分時におけるＣＯ２排出量の削減を可能とするとともに、建築基準法に規定する不燃規格を満たし、フィルムとしての機械的強度や耐後加工性にも優れた化粧シートおよび化粧シートの製造方法を提供することを目的とする。
【手続補正５】
【補正対象書類名】明細書
【補正対象項目名】０００８
【補正方法】変更
【補正の内容】
【０００８】
上記目的を達成するべく、本発明の第１の態様の化粧シートは、複数の樹脂層からなる化粧シートであって、前記樹脂層のうち少なくとも１層を、超臨界逆相蒸発法によってベシクルに二酸化炭素吸収剤を内包させた二酸化炭素吸収剤内包ベシクルをポリオレフィン系樹脂に対して添加して熱可塑性樹脂組成物からなる層として形成することを特徴とする。
【手続補正６】
【補正対象書類名】明細書
【補正対象項目名】０００９
【補正方法】変更
【補正の内容】
【０００９】
このような、本発明の第１の態様の化粧シートにおいては、超臨界逆相蒸発法によりベシクルに内包された状態の二酸化炭素吸収剤をポリオレフィン系樹脂に対して添加して熱可塑性樹脂組成物からなる層として形成することにより、建築基準法施工令第１０８条の２第１号および第２号に記載の不燃材料の技術的基準を満たす「不燃材料」であり、さらに、化粧シートに求められる機械的強度を備えた化粧シートを提供することができる。
【手続補正７】
【補正対象書類名】明細書
【補正対象項目名】００１０
【補正方法】変更
【補正の内容】
【００１０】
本発明の第２の態様の化粧シートは、前記熱可塑性樹脂組成物からなる層は、結晶核剤を前記二酸化炭素吸収剤と一緒に前記ベシクルに内包させて形成されていることを特徴とする。
【手続補正８】
【補正対象書類名】明細書
【補正対象項目名】００１１
【補正方法】変更
【補正の内容】
【００１１】
このような、本発明の第２の態様の化粧シートにおいては、二酸化炭素吸収剤と一緒に結晶核剤が内包されたベシクルを添加することにより、熱可塑性樹脂組成物の結晶化度をコントロールして機械的強度や耐後加工性に優れた化粧シートを提供することができる。
【手続補正９】
【補正対象書類名】明細書
【補正対象項目名】００２０
【補正方法】変更
【補正の内容】
【００２０】
本発明の第７の態様の化粧シートは、引張弾性率が、５００ＭＰａ以上２０００ＭＰａ以下であり、引張破断伸度が、２００％以上であることを特徴とする。 このような、本発明の第７の態様の化粧シートにおいては、化粧シートに求められる機械的強度を有し、製造適正に優れるとともに、Ｖカット曲げ加工などの耐後加工性に優れる化粧シートを提供することができる。
【手続補正１０】
【補正対象書類名】明細書
【補正対象項目名】００２１
【補正方法】変更
【補正の内容】
【００２１】
本発明の化粧シートの製造方法は、複数の樹脂層からなる化粧シートの製造方法であって、前記樹脂層のうち少なくとも１層を熱可塑性樹脂組成物からなる層として形成し、前記熱可塑性樹脂組成物からなる層を、超臨界逆相蒸発法によってベシクルに二酸化炭素吸収剤を内包させた二酸化炭素吸収剤内包ベシクルをポリオレフィン系樹脂に対して添加して形成することを特徴とする。
【手続補正１１】
【補正対象書類名】明細書
【補正対象項目名】００２２
【補正方法】変更
【補正の内容】
【００２２】
本発明の化粧シートおよび化粧シートの製造方法によれば、焼却処分時におけるＣＯ２排出量の削減を可能とするとともに、建築基準法に規定する不燃規格を満たし、フィルムとしての機械的強度や耐後加工性にも優れた化粧シートを提供することを可能とする。
【手続補正１２】
【補正対象書類名】明細書
【補正対象項目名】００２４
【補正方法】変更
【補正の内容】
【００２４】
本発明の化粧シートは、複数の樹脂層からなる化粧シートであって、前記樹脂層のうち少なくとも１層を、超臨界逆相蒸発法によってベシクルに二酸化炭素吸収剤を内包させた二酸化炭素吸収剤内包ベシクルをポリオレフィン系樹脂に対して添加して熱可塑性樹脂組成物からなる層として形成することが重要である。
【手続補正１３】
【補正対象書類名】明細書
【補正対象項目名】００６５
【補正方法】変更
【補正の内容】
【００６５】
以下に、本発明の化粧シート１および化粧シート１の製造方法の具体的な実施例について説明する。
【手続補正１４】
【補正対象書類名】明細書
【補正対象項目名】００８１
【補正方法】変更
【補正の内容】
【００８１】
本発明の化粧シート１および化粧シート１の製造方法は、上記の実施形態および実施例に限定されるものではなく、発明の特徴を損なわない範囲において種々の変更が可能である。